Podtech/llm-jp-corpus-v4-ja_patent huggingface dataset:
(57)【要約】      （修正有）【課題】量産品人形に一切の加工や修正を行わず、装着離脱可能な立体のお面を制作し、本来のオリジナル人形はその権利を守られる状態で着せ替えなどと同様に人形の権利価値を損なうことなく、付加価値を与える事が出来る市販人形用着脱式お面ビジネスモデルを提供する。【解決手段】多くの量産人形ロには、キャラクターを有する顔ハが存在する。その顔ハの部分を包み込む様な立体のお面イを制作する事と、そのお面イの着脱が自由に出来ることで、人形ロは別人人形となる事が可能になる。人形ロに一切の加工を行わない為、またお面イの機能のみを使用する為、人形ロの本来持つ権利価値を脅かすことなく、人形ロの多様性を増す事が出来る。また、規格化された市販人形ロに対し、付加価値として、リアルなお面イを提供する為、インターネット等で注文を受ける事が出来る【選択図】図１
2013223595.tif 000002
【特許請求の範囲】
【請求項１】
量産品人形に一切の加工や修正を行わず、装着離脱可能な立体のお面を制作する事により、量産人形は、その権利を守られる状態で着せ替えなどと同様に人形の権利価値を損なうことなく、付加価値を与える事が出来る。
【請求項２】
インターネット等のメールに顔写真添付で使用する市販人形の分類と共に申し込む込む事で、規格化された人形の顔に合う大きさ形状の人形用顔を制作し、納入する新しい方式のビジネスモデル
【請求項３】
装着離脱が自由に行える立体の顔お面の為、市販人形の価値を損なうことなく、量産人形の新しい使用方法となるビジネスモデル
【請求項４】
人形として構成される顔、体、衣服の内、顔のみを、立体造形で装着離脱出来るユニットにして、既に市販されている量産の人形に付加価値として作成するビジネスモデル
【発明の詳細な説明】
【技術分野】
【０００１】
量産品人形の外形装着分野
【背景技術】
【０００２】
キャラクターやアニメ、映画、書籍など二次元著作物が一般に広まり、これらを立体の人形形状で作成されるものが多く、量産技術の発展により、型成型などで、生産される様になった。
【先行技術文献】
【特許文献】
【０００３】
【特許文献１】（特許文献１）実用新案 2006-010570 (平18.12.27) 出願種別(通常)
【発明の概要】
【発明が解決しようとする課題】
【０００４】
多くの量産品人形は、そのキャラクターや著作、肖像など多くの権利によって守られた利権品であり許諾無く改造や造形変更などを行うことは出来ない。これらの人形を楽しむ場合、展示や着せ替えなど限られた制約の中で使用する事しか出来ない。
【課題を解決するための手段】
【０００５】
量産品人形に一切の加工や修正を行わず、装着離脱可能な立体のお面を制作すれば、本来のオリジナル人形は、その権利を守られる状態で着せ替えなどと同様に人形の権利価値を損なうことなく、付加価値を与える事が出来る。
【発明の効果】
【０００６】
外形の顔が違う事で、人形は多様化した価値を生み出し、視覚的及び触覚的に、或いは物理的に、付加価値を有する物となる。
【図面の簡単な説明】
【０００７】
【図１】図１の、量産人形（ロ）は、一般的に市販される人形である。その外形につける立体の半球状お面（イ）は、人形のオリジナル顔（ハ）にかぶせる状態で装着し、また離脱できる。これは人形の顔の部分が半球状である為、用意に着脱可能になる。
【発明を実施するための形態】
【０００８】
量産品人形に装着離脱が安易に行えるものの代表には、着せ替えがある。しかし着せ替えは主に衣服などであり、そのコスチュームに絞られる。人形の顔の部分に、後付で装着離脱可能な立体の顔のお面を付けることで、その人形に、新しい付加価値を与えることが出来る。これによって人形はもっと多用途な利用が可能となる。その上簡単な装着離脱が可能である事で、オリジナル人形の権利を損なうことなく利用出来るのである。
【実施例】
【０００９】
量産品人形の、顔部分に、装着離脱出来る樹脂等の素材で作成したお面を付けると、つけた時のみ、別人の人形に変身する。また付け替える事により、次の別人の人形となる。この様な手法により、人形は、その価値を損なうことなく、新しい表現手法を持つこととなる。
【産業上の利用可能性】
【００１０】
量産品人形は、目的の為に成型を行い制作されるが、目的別に形状は設定され、またその形状において量産される事を目的としている。従来は多くの企業や個人が着せ替えコスチューム等の制作や販売を行っているが、顔のお面の装着離脱が可能になることによって、人形の多用途な応用が可能となる。一般に人形は、その名前の通り人の形をしており、顔やヘア、服装、体型などで全体が構成されるが、その顔部分が別の顔になる事により、別人としても認識される。人形の構成上の人形形状の由縁である。
【符号の説明】
【００１１】
図１は、量産人形（ロ）と、その外形につける立体の半球状お面（イ）、（ハ）は人形のオリジナル顔部分を示す。
【図１】
2013223595.tif 000003
(57)【要約】【課題】バネ上昇式パンタグラフの上昇機構部に空気シリンダを追加し、空気シリンダに一定の空気圧を供給するための空圧制御機器を必要としない鉄道車両用パンタグラフを提供する。【解決手段】バネ上昇式パンタグラフの主バネのバネ力を、パンタグラフの枠組が上昇しない最大の張力を発生させた状態とし、前記主バネの台枠側バネ受け部の位置を可変できるバネ可変機構部を設け、該機構部とロッド引込式の空気シリンダのヘッド部とを連結し、前記空気シリンダの引込側に空気が供給されると、前記主バネに張力が加わり、パンタグラフの前記枠組が上昇することを特徴とする鉄道車両用パンタグラフ。【選択図】図１
2013223282.tif 000002
【特許請求の範囲】
【請求項１】
バネ上昇式パンタグラフの主バネのバネ力を、パンタグラフの枠組が上昇しない最大の張力を発生させた状態とし、前記主バネの台枠側バネ受け部の位置を可変できるバネ可変機構部を設け、該機構部とロッド引込式の空気シリンダのヘッド部とを連結し、前記空気シリンダの引込側に空気が供給されると、前記主バネに張力が加わり、パンタグラフの前記枠組が上昇することを特徴とする鉄道車両用パンタグラフ。
【請求項２】
上記パンタグラフ折り畳み時、上記空気シリンダに上記主バネのバネ力が伝達しないように上記バネ受け可変機構部にストッパを設け、また、上記空気シリンダの最大ストローク時に、所定の押付力が負荷されるようにストロークを設定し、前記空気シリンダに空気が供給されると空気シリンダの摺動抵抗に影響されることなくパンタグラフが所定の押付力で上昇し、排気されると速やかにパンタグラフが降下する空気上昇式パンタグラフとして構成したことを特徴とする鉄道車両用パンタグラフ。
【発明の詳細な説明】
【技術分野】
【０００１】
本発明は、鉄道車両用パンタグラフに関するものである。
【背景技術】
【０００２】
図３は、バネ上昇式パンタグラフの作用を説明するパンタグラフ全体の機構図である。図３において、１０は集電舟、１１は舟支え、１２は上枠、１３は下枠、１４は釣合棒、６は台枠、１７は碍子、１８は車体、１９は架線である。
集電時には、台枠６内部にある主バネ１の張力が、テコ１６を介し主軸１５に回転力を付与して上枠１２、下枠１３、釣合棒１４より構成される枠組を立ち上げ、集電舟１０を架線１９に押し付ける。
【０００３】
図４は、空気上昇式パンタグラフの作用を説明するパンタグラフ全体の機構図である。図３と比較し、主バネ１の代わりに空気シリンダ２０が取付き、主軸１５に回転力を与える機構となっているが、空気シリンダ２０は、枠の上下動に連動して動く必要があるため、摺動抵抗の小さいシリンダを選定する必要があり、また、空気シリンダ２０に供給される空気圧は、車両の条件により変動があるため、一定の圧力になるように空圧制御機器２１が必要となる。
【先行技術文献】
【特許文献】
【０００４】
【特許文献１】特許公開平１０−２８５７０４号公報
【発明の概要】
【発明が解決しようとする課題】
【０００５】
本発明は、パンタグラフの基本構成を変更せず、空圧制御機器を必要としないで、空気上昇式パンタグラフを提供することを目的に提案されたものである。
【課題を解決するための手段】
【０００６】
本発明によれば、バネ上昇式パンタグラフの主バネのバネ力を、パンタグラフの枠組が上昇しない最大の張力を発生させた状態とし、前記主バネの台枠側バネ受け部の位置を可変できるバネ可変機構部を設け、該機構部とロッド引込式の空気シリンダのヘッド部とを連結し、前記空気シリンダの引込側に空気が供給されると、前記主バネに張力が加わり、パンタグラフの前記枠組が上昇することを特徴とする鉄道車両用パンタグラフとした。
【０００７】
更に、上記パンタグラフ折り畳み時、上記空気シリンダに上記主バネのバネ力が伝達しないように上記バネ受け可変機構部にストッパを設け、また、上記空気シリンダの最大ストローク時に、所定の押付力が負荷されるようにストロークを設定し、前記空気シリンダに空気が供給されると空気シリンダの摺動抵抗に影響されることなくパンタグラフが所定の押付力で上昇し、排気されると速やかにパンタグラフが降下する空気上昇式パンタグラフとして構成したことを特徴とする鉄道車両用パンタグラフとした。
【発明の効果】
【０００８】
上記の空気シリンダを用いれば、パンタグラフを上昇および下降させることが出来、また、空気シリンダに供給される空気圧に車両の条件で起こりうる圧力変動が発生しても、パンタグラフの押付力に影響しないため、空圧制御機器が不要となる。
【図面の簡単な説明】
【０００９】
【図１】本発明のパンタグラフ集電時を示した説明図である。
【図２】本発明のパンタグラフ折畳時を示した説明図である。
【図３】バネ上昇式パンタグラフ全体の機構図である。
【図４】空気上昇式パンタグラフ全体の機構図である。
【発明を実施するための形態】
【００１０】
図１は、本発明の実施例の構成を示す図である。
【実施例１】
【００１１】
図１は、本発明のパンタグラフ集電時の空気シリンダおよびバネ受けテコ部を示す図である。主バネ１は調整ネジ２を介して調整ネジ取付ピン２aによってバネ受けテコ４に回転自在に支持されている。バネ受けテコ４は、台枠６にバネ受けテコ取付ピン７に支持されており、空気シリンダ３とピストンロッド３ｂの先端に取り付けられたヘッド３ｃにリンク５を介して取り付けられている。
【００１２】
集電時、パンタグラフが最低作用から最高作用まで上下動する場合は、バネ上昇式パンタグラフと同様に主バネ１の長さが可変することで追従する。
【００１３】
主バネ１の最大張力が発生した場合においてもバネ受けテコ４が回転移動しない状態になるようにピストン３aの直径及び空気配管８より空気シリンダ３に供給される空気圧を設定し、かつ空気シリンダ３が安定するようにピストン３aの位置をストロークエンドとする。
【００１４】
図２は、本発明のパンタグラフ折畳時の空気シリンダおよびバネ受けテコ部を示す図である。空気シリンダ３には空気配管８より空気が供給されておらず、バネ受けテコ４には、空気シリンダ３の力が作用していないため、バネ受けテコは、主バネの張力によりバネ受けテコ取付ピン７を中心に回転移動し、台枠６のストッパ６aにより固定されている。本状態における主バネの張力は、調整ネジ２によりパンタグラフの枠組が上昇しない最大の状態に調整されている。
【符号の説明】
【００１５】
１    主バネ
２    調整ネジ
２ａ  調整ネジ取付ピン
２ｂ  バネ受部
３    空気シリンダ
３ａ  ピストン
３ｂ  ピストンロッド
３ｃ  ヘッド
４    バネ受けテコ（バネ受可動機構部）
５    リンク
６    台枠
６ａ  ストッパ
７    バネ受けテコ取付ピン
８    空気配管
１０  集電舟
１１  舟支え
１２  上枠
１３  下枠
１４  釣合棒
１５  主軸
１６  テコ
１７  碍子
１８  屋根
１９  架線
２０  摺動抵抗の小さい空気シリンダ
２１  空圧制御機器
【図１】
2013223282.tif 000003
【図２】
2013223282.tif 000004
【図３】
2013223282.tif 000005
【図４】
2013223282.tif 000006
(57)【要約】【課題】自転車を鞄に入れて電車に持ち込むことは輪行と呼ばれ、その時の鞄は輪行バッグと呼ばれる。しかし、いくら軽量化が図れたとはいえ、自転車は重い機械であり、形状も不規則である。そのため、背負って移動することは、大変であり、鞄からの出し入れ操作も面倒である。【解決手段】鞄の底を取り払い、鞄の上に口をあけることで固定する手段を有する荷物用キャリーカートと一緒に利用でき、背負う必要はなくなる一方、鞄からの自転車の出し入れは簡単になる。【選択図】図１
2013223732.tif 000002
【特許請求の範囲】
【請求項１】
個人移動手段を収めるには十分な大きさを有し底部に口をあけることができることを特徴とする鞄。
【請求項２】
上部に口をあけることができることを特徴とする請求項１記載の鞄。
【請求項３】
上下の口がつながっていることを特徴とする請求項２記載の鞄。
【請求項４】
背負う及び掛けるための帯を収め裏返し可能な袋を有することを特徴とする請求項１から請求項３のいずれかに記載の鞄。
【請求項５】
もう一個小物を納める袋を有する請求項４記載の鞄
【請求項６】
下部に鞄と台またはカートを繋ぐための通し、前後に固定用ベルトを通すための通し、後部にハンドルを通すための通し、両側に鞄を引き摺る手段を繋ぐための通しを有する請求項４から請求項５のいずれかに記載の鞄。
【請求項７】
請求項１から請求項６のいずれかに記載の鞄と車輪付の台またはカートとで構成されることを特徴とする個人移動手段を携帯するための装置。
【請求項８】
請求項４から請求項６のいずれかに記載の鞄と車輪付の台またはカートとで構成され、前述の裏返し可能な袋は鞄本体とともに前述の台またはカートを収納できる大きさを有することを特徴とする個人移動手段を携帯するための装置。
【発明の詳細な説明】
【技術分野】
【０００１】本発明は、背負うことによる身体負担を軽減できる個人移動手段を収める鞄及び携帯する装置に関するものである。
【背景技術】
【０００２】移動手段には、自転車のような個人移動手段と電車のような公共移動手段がある。【０００３】個人移動手段と公共移動手段それぞれの特徴を生かせば、より効率的に移動できる。自転車等を鞄に入れて背負って電車に持ち込むことは輪行と呼ばれ、その時の鞄は輪行バッグと呼ばれる。しかし、いくら軽量化が図れたとはいえ、自転車等は重い機械であり、形状も不規則である。それを背負うことは大変であり、鞄からの出し入れ操作も面倒である。鞄の底にキャスタをつけることや外付けキャリーをつけるなどは提案されたが、移動中の振動に耐えられる鞄内の自転車を固定する実用的な方法がない等の課題がある。
【先行技術文献】
【特許文献】
【０００４】
【特許文献１】特開２００１−３５３０１５号公報
【特許文献２】特開２０１１−２１７９２９号公報
【非特許文献】
【０００５】
【非特許文献１】Ｏｓｔｒｉｃｈ、輪行袋、ｈｔｔｐ：／／ｗｗｗ．ｏｓｔｒｉｃｈ−ａｚ．ｃｏｍ／ｒｉｎｋｏｕｆｕｋｕｒｏ．ｈｔｍｌ
【発明の概要】
【発明が解決しようとする課題】
【０００６】解決しようとする問題点は、現行の鞄で自転車を持ち歩く際、常に背負う必要があり、身体にかかる負担が大きい点である。
【課題を解決するための手段】
【０００７】鞄の上下に口を設けることを最も主要な特徴とする。
【発明の効果】
【０００８】固定する手段を有する台や市販のキャリーカートと一緒に利用でき、背負う必要はなくなる。鞄からの自転車の出し入れ操作も簡単になる。
【図面の簡単な説明】
【０００９】
【図１】は鞄の模式図
【図２】は鞄に入れる準備として両輪を固定する手段の模式図
【図３】は鞄と一緒に使用するキャリーカートの模式図
【図４】は鞄と一緒に使用する台およびハンドルと取り付け用金具の模式図
【発明を実施するための形態】
【００１０】自転車等個人移動手段が入った鞄を背負わずに移動する目的を、自転車等自身の堅牢さなどの特徴を生かして簡単な構造で実現した。
【実施例１】
【００１１】図１は本発明の鞄の模式図であって、開け閉めができる下部口００８と上部口００１が設けられる。鞄の前面に裏返すことが可能な袋００２があり、中に帯００３がある。【００１２】本発明を利用するための準備として、個人移動手段を折り畳んだ後、両輪が離れないように図２の固定手段で固定して、図３のキャリーカートまたは図４の台に置いて固定する必要がある。そして、固定済みの個人移動手段を下部の口００８を通して本発明の鞄に入れる。図１の上下の口を繋いで一個の口にする場合、上着を着る感じで掛けてファスナー等で閉めることで本発明の鞄に入れることで、出し入れをよりスムーズにすることができる。勿論、下部の口の両側または片側を上に延長することでも、同じ効果を得られる。また、本発明の鞄の底部に図３のカートまたは図４の台を繋ぐための通し００６があり、本発明の鞄の正面と背面双方に両列のベルト通し００７があり、本発明の鞄の背面に図３または図４のハンドル２０１から２０３、３０４を固定するため通し００９がある。それらで本発明の鞄を図３台または図４カートへ２重３重と固定できる。本発明の鞄の上部に引き摺るための手段と繋ぐための通し００４がある。勿論、これらの通しは持ち上げ等他の用途のベルトを通すこともできる。階段を上るなど引き摺ることができない時、前述上部の口００１から手を入れて両輪を固定する図２の帯を握って持ち上げる。自転車等個人移動手段を使いたい時、本発明の鞄から取り出して００２の袋を裏返したら、本発明の鞄本体とともに図３のカートまたは図４の台を収納できる。それを００３の帯で背負うか個人移動手段のハンドル等にかける。【００１３】図４の台に３０５の金具でハンドル３０４を取り付けることが可能。本発明の鞄の上に小さい袋００５が設けられていて、手袋など折り畳む作業に必要な物を収納する。
【産業上の利用可能性】
【００１４】身体負担を軽減できる輪行バッグの改良型としてアパレル工場の設備で製造可能である。
【符号の説明】
【００１５】００１．上部の口
００２．裏返し可能な袋
００３．袋内部にある帯
００４．引き摺る用のベルト通し
００５．折り畳み作業用品を納める袋
００６．カート又は台を繋ぐ用のベルト通し
００７．ベルト通し
００８．下部の口
００９．ハンドルの通し
１０１．両輪固定用ベルトのコネクタのオス部
１０２．両輪固定用ベルトのコネクタのメス部
１０３．両輪固定用ベルトの帯
２０１．カートハンドル上部
２０２．カートハンドル折り畳み部
２０３．カートハンドル下部
２０４．折り畳んだ後のカート
３０１．台の車輪
３０２．台のフレーム
３０３．台の梁
３０４．台に取り付けるハンドル
３０５．台にハンドルを取り付ける時の金具
【図１】
2013223732.tif 000003
【図２】
2013223732.tif 000004
【図３】
2013223732.tif 000005
【図４】
2013223732.tif 000006
(57)【要約】【課題】夏期、外出時、空気調節の効いた場所に移動した時、個人的に扇子をあおぎ風を得ている姿が多く見られる。小型扇風機等が有るが、電源、大きさ等、携帯に不便であった。◎携帯に必要な大きさと電源の無い所で使用出来る携帯自動団扇を提供すること。【解決手段】本体（１）に内蔵したモーター（３）シャフトにＰ字型シャフト（４）を取付け、その先りー子部分は、回転毎に団扇（２）に当り押出すリーチ長を有している。本体（１）外部には、団扇（２）柄部分を取付けアンカーとし、団扇反復運動の固定点とした。小出力モーター（３）で、団扇反復運動を可能とする為、厚さ０．２ｍｍ以下のフィルムを使用し、骨組を無くした携帯自動団扇。【選択図】図１
2013223701.tif 000002
【特許請求の範囲】
【請求項１】
団扇（２）は骨組を無くした構造であり、厚さ０．２ｍｍ程度フィルムであり団扇（２）柄部分を本体（１）へ取り付け固定し、アンカーの役割を持っていることを特徴とした携帯自動団扇。
【請求項２】
モーター（３）のシャフトに取付けるＰ字型シャフト（４）の先部はカム形状をしたシャフトで、軸芯から団扇（２）を押し出す分のリーチ長を有している事を特徴とした携帯自動団扇。
【発明の詳細な説明】
【技術分野】
【０００１】  本発明は固定された電源（家庭電源）等に係わりなく携帯可能な自動団扇に関する。
【背景技術】
【０００２】  外出先時、電源の無い所で団扇、扇子を使用し、団扇をあおぐと、手に疲労を覚える。又、大相撲国技館で空調システムが稼働しているにもかかわらず、扇子を使用している様子が見られる。【０００３】  そこで、かかる問題を解決するために、手で持ってあおぐことなく机上に置いてモーターの動力で動かすものがある（特許文献１）。
【特許文献１】特開平１７−１２０９９
【０００４】  ところが、これは机上等に置いて使用を目的としたもので、携行携帯には形状の大きさ・電源問題を解決しているとは言えず、携帯する概念ではなかった。
【発明の開示】
【発明が解決しようとする課題】
【０００５】  本発明は上記実情を考慮して創作したもので、外出時、胸ポケットに収納する事を目ざし、手軽に使用出来る自動団扇の提供をすることである。【０００６】  請求項１の発明は、モーター（３）の低出力に応じた０．２ｍｍ以下の厚みを持った構造であり、骨組を無くしたことを特徴とする団扇。【０００７】  請求項２の発明は、団扇可動手段として団扇（２）に柄部分を本体（１）に取り付ける。【０００８】  請求項２の発明は、団扇（２）をあおぎ、運動手段としてモーター（３）シャフトに接合固定するＰ字型シャフト（４）を用いる。Ｐ字型シャフト（４）は軸芯から団扇（２）を押し出すリーチ長を有していることを特徴としている。
【発明の効果】
【０００９】  請求項１、２の団扇（２）は、本体（１）に柄部を固定点として取付使用するので、素材本来の湾曲部を有し０．２ｍｍの厚さのフィルムを使用、又反発復元力によるものを使用する。上記使用法で本来の手であおぐ為の剛性を必要とする骨組は省略できた。【００１０】  請求項２の発明は、本体（１）内部に内蔵したモニター（３）シャフトに、Ｐ字型カムシャフト（４）を取付ける。Ｐ字型シャフト（４）は、団扇（２）に回転毎に当り反対側へ押し出すリーチ長を有していてＰ字型シャフト（４）が団扇（２）からはずれると団扇（２）は自己復元力により戻り、団扇あおぎ運動を反復する。【００１１】  本発明は電源を乾電池、充電型電池を使用してもよい。
【上記発明を実施するには】
【００１２】  本体（１）を持ちスイッチ（５）をＯＮにすれば、Ｐ字型シャフト（４）が回転し、団扇（２）に当り、団扇あおぎ反復運動がを開始する。スイッチ（５）をＯＦＦにすれば、あおぎ運動停止するので取扱いが簡単である。
【図面の簡単な説明】
【図１】携帯自動団扇の態様を示す透視図である。
【図２】携帯自動団扇の態様を示す斜視図である。
【図３】モーターとＰ字型シャフトの分解図である。
【符号の説明】１  本体
２  団扇
３  モーター、シャフト
４  Ｐ字型シャフト
５  スイッチ
６  電池
【図１】
2013223701.tif 000003
【図２】
2013223701.tif 000004
【図３】
2013223701.tif 000005
(57)【要約】【課題】  従来の頭巾は一人用のもので、幼児を背負った二人用のものはなかった。  本発明は二人用の頭巾を提供する。【解決手段】  クッション性のある素材で頭、肩と背部の幼児をおおい、首から肩へかけての部分に左右通気口を設け、通気口にふたを設け、背部に幼児をおおう部分を広くしたふくらみ部を設け、内側下部にポケットを設け、外部を防水性素材又は通気性を備えた防水性素材でおおい前部にとめ具を設ける。【選択図】図２
2013223704.tif 000002
【特許請求の範囲】
【請求項１】
頭巾にはクッション性のある素材で頭、肩と背部の幼児をおおい、首から肩へかけての部分に通気口を設け、通気口にふたを設け、背部に幼児をおおう部分を広くしたふくらみ部を設け、前部にとめ具を設けた親子用防災頭巾。
【請求項２】
外部をクッション性、防水性、通気性を備えた防水性、防火性機能を備えた素材を用いた請求項１の親子用防災頭巾。
【請求項３】
前だっこ用の頭巾は前部にふくらみを設け、とめ具を設ける。
【発明の詳細な説明】
【技術分野】
【０００１】  本発明は防災頭巾に関するものである。
【背景技術】
【０００２】  従来、頭巾は一人一人がかぶるものであった。
【発明の概要】
【発明が解決しようとする課題】
【０００３】  従来の頭巾は一人用のもので、幼児を背負った二人用のものはなかった。
本発明は以上の問題点を解決するためになされたものである。
【課題を解決するための手段】
【０００４】  クッション性のある素材で頭、肩と背部の幼児をおおい、首からから肩へかけての部分（左、右）に通気口を設け、通気口にふた（左、右）を設け、背部に幼児をおおう部分を広くしたふくらみを設け、内側下部にポケットを設け、外部を防火性素材又は通気性を備えた防水性素材でおおい、前部にとめ具を設ける。
以上の構成よりなる親子用防災頭巾。
【発明の効果】
【０００５】  大人と幼児がそれぞれに頭巾をかぶる手間が省け一体感を保つことができる。又二人が一つの頭巾をかぶることでより安全に行動できる。
【図面の簡単な説明】
【０００６】
【図１】  本発明の側面図
【図２】  本発明の使用状態を示す正面図
【図３】  本発明の応用例の使用状態を示す側面図
【図４】  本発明の応用例の使用状態を示す正面図
【発明を実施するための形態】
【０００７】  以下、本発明の実施の形態を説明する。
（イ）クッション性、防水性又は通気性を備えた防水性素材を用いた頭巾（１、１１）の首から肩へかけての部分左右に通気口（２、２２）を設ける。この通気口は、頭巾（１、１１）をかぶってとめ具（５）で左右をとめる前は縦のスリット状を呈しており、とめる際に左右が手前方向へ引っ張られることにより布が開口部をつくり、通気口（３、３３）としての役割を果たす。
またこの通気口（３、３３）は本発明の目的である親子用という機能のため、おんぶなどの際子供の呼吸を助ける役割を担う。
（ロ）左右通気口（３、３３）にふた（２、２２）を設ける。ふたは頭巾（１）と用じ素材を用い通気口（３、３３）をおおう半円形にし通気口（３、３３）後方に通気口切れ目に平行に縦にぬいつける。
ふた（２、２２）は災害時にこわれた物の破片のとびこみを防ぐためのものである。
（ハ）背部に幼児を背負った時のために頭巾（１）の後ろにふくらみ（４）を設ける。
（ニ）他の応用例として、前部にだっこする場合は前部の左右どちらかに幼児が入る部分のふくらみ（７）を設ける。
（ホ）前部にとめ具（５、５５、７）を設ける。
おんぶの場合は前部に一ケ所、前だっこの場合は二ケ所
（ヘ）頭巾（１）の内部にポケット（６）を設ける。
本発明は以上のような構造である。
本発明を使用するときは親子二人の頭に頭巾（１、１１）をかぶせ前部のとめ具（５、５５、７）で固定する。
災害時は後ろに幼児を背負うことで両手があき動きやすくなる。
【符合の説明】
【０００８】（１）頭巾、（１１）頭巾、（２）通気口ふた、（２２）通気口ふた  （３）通気口
（３３）通気口  （４）背部ふくらみ  （５）とめ具  （５５）とめ具
（６）内部ポケット  （７）前部ふくらみ  （８）とめ具
【図１】
2013223704.tif 000003
【図２】
2013223704.tif 000004
【図３】
2013223704.tif 000005
【図４】
2013223704.tif 000006
(57)【要約】【課題】  剪定鋏を握る手が作業中に、  刃先の方向に滑ることなく安全且つ能率向上の剪定鋏を得る。【解決手段】  松葉バネの反発力により刃先が開口する剪定鋏において、  柄の握り部分の  掌の親指と人差し指の中間に当たる位置に、  爪状の突起部を設け、  作業の際に掌が刃先の方向に滑って移動しない構造を有する剪定鋏とする。【特許請求の範囲】
【請求項１】
果樹、  花木の剪定又は、  果実の収穫に用いる剪定鋏のうち、  柄を握り締めた時に刃先が閉じて剪定を終え、  握り締めた掌を緩めると松葉バネの反発力により柄と刃先が開口する構造を有する剪定鋏において、  使用時に柄を握った掌が開閉操作によって、  自然に刃先の方向へずれることを防止するため、  柄の握り部分の掌に位置するところに爪状の突起部を設けたことを特徴とする剪定鋏。。
【発明の詳細な説明】
【技術分野】
【０００１】本考案は、  剪定鋏を使用中に、  柄を握った掌が刃先の方向へ滑るのを防ぐための剪定鋏である。
【背景技術】
【０００２】従来の剪定鋏は、  多少の滑りとめの突起部を形成してあるが完全にストッパー的な価値を果たしていない。（特許文献１参照）
【先行技術文献】
【特許文献】
【０００３】
【特許文献１】実用新案登録第３１５１０９４号公報
【発明の概要】
【発明が解決しようとする課題】
【０００４】従来の剪定鋏は、  作業中に柄を握った掌が自然に刃先の方向へ滑り、  掌及び指などに負傷の恐れがある。
【課題を解決するための手段】
【０００５】剪定鋏の柄を握り締めたとき、  刃先が閉じた状態の剪定鋏のうち、  刃先の方向へ掌が滑るのを防ぐため、  柄を握った親指と人差し指の間に爪状の突起部を設けて完全に掌を固定させることで安定感を有する
【発明の効果】
【０００６】爪状突起部に、  掌が柄に完全密着し剪定鋏を連続繰り返しの開閉操作においても、  柄を握った掌の安定感を有し作業に従事することができ、  作業能率も向上する。
【発明を実施するための最良の形態】
【０００７】以下、  本考案の実施の形態について説明する。
爪状の突起部（８）を親指と人差し指の根本で柄（５ａ）を挟み込むように掌を当て、  剪定鋏（１）のうち、  柄（５、５ａ）を握り締め固定刃（２）稼動刃（２ａ）が噛み会って切断対象物を切断する。切断を終え、  握り締めた掌を緩めると、  松葉バネ（４）の反発力によって柄（５、５ａ）と固定刃（２）と稼動刃（２ａ）が開口する．
【図面の簡単な説明】
【０００９】
【図１】  本考案の斜視図
【図２】  本考案の正面図
【符号の説明】
【００１０】１      剪定鋏
２      固定刃
２ａ    稼動刃
３      松葉バネ
４      柄
４ａ    柄
５      ネジ
６      ロック
７      爪状突起部
【図１】
2013223477.tif 000002
【図２】
2013223477.tif 000003
(57)【要約】      （修正有）【課題】畑や庭の雑草取り作業の時、ひざや腰の負担を軽減する雑草取り具を提供する。【解決手段】棒の先に雑草が挟めるようにＶ型にカットした板状のものを取り付け、棒は木製またはスチール製とし、手で持つところは滑りにくくした。【選択図】図１
2013223474.tif 000002
【特許請求の範囲】
図１の作業者が図１の（１）を手に持って立ったまま雑草の根元に突き刺して引き抜き  そのまま雑草が図２の先端に引っ掛けて持ち上げ図２の雑草入れに入れる。
そしてそのまま次の雑草に行き  その作業を繰り返す。
【発明の詳細な説明】
【発明の詳細の説明】
この発明は、おばあちゃんが足  腰  膝が痛いのに「毎日家の周りや畑や庭の草取りをしてとても大変だ」といっているので立ったまま歩きながら草をとってそのまま草入れに入れて処分することを考えて作りました。
おばあちゃんが大変喜んで  毎日散歩をしながら草取りをしています。
歩くときに図１の（１）が「杖の代わりになりとても安全で  一石二鳥だ。」と言っています。
なお図２のように  前と後ろをうまく使い分けるといっそう便利です。
【図面の簡単な説明】
【図１】作業状況  図１の（１）草取り名人  図１の（２）雑草を入れるもの
【図２】図２の（１）８０ｍｍ  図２の（２）２０ｍｍ  図２の（３）１０ｍｍ  図２の（４）１０ｍｍ  図２の（５）１０ｍｍ  図２の（６）１０ｍｍ  図２の（７）５０ｍｍ  図２の（８）２０ｍｍ
【図３】図３の（１）８００ｍｍ〜１０００ｍｍ  図３の（２）１０ｍｍ〜２０ｍｍ
【図１】
2013223474.tif 000003
【図２】
2013223474.tif 000004
【図３】
2013223474.tif 000005
(57)【要約】【課題】  従来の種袋は種を取り出すために袋の上部叉は下部をハサミ等で切り取っていた叉残った種の保存も良く出来なかった。本発明は種蒔きを容易にすることを目的とする。【解決手段】  種袋下部の一隅に振り出し用突起部を設け、その振り出し突起部の先端の一部分をハサミ等で切り取って振り出し口を作り種を蒔くことを特徴とする叉振り出し突起部分を裏側に折り曲げる構造にする。【選択図】図１
2013223475.tif 000002
【特許請求の範囲】
【請求項１】
種袋下部の一隅に振り出し突起部を設け、その振り出し突起部の先端の一部分を切り取って使用する振り出し口付き種袋。
【請求項２】
突起部を裏側に折り曲げて保存する請求項１記載の振り出し口付き種袋。
【発明の詳細な説明】
【技術分野】
【０００１】  本発明は植物の種蒔きを容易にするために設けた振り出し口付き種袋に関するものである。
【背景技術】
【０００２】  従来の種袋はハサミ等で切り取ってから手のひら叉は別容器に移し替えてから種を蒔いていた。
【先行技術文献】
【特許文献】
【０００３】
【特許文献１】  特開２００１−６９８１１号広報
【特許文献２】  特開２００２−５１６１０号広報
【特許文献３】  特開２００６−３４０７０５号広報
【特許文献４】  特開２００５−１７８７９１号広報
【発明の概要】
【発明が解決しようとする課題】
【０００４】  従来の種袋は種を取り出すために袋の上部叉は下部をハサミ等で切り取っていた叉残った種の保存も良く出来なかった。
本発明は以上の問題点を解決するためになされたものである。
【課題を解決するための手段】
【０００５】  種袋下部の一隅に振り出し用突起部を設け、その振り出し突起部の先端の一部分をハサミ等で切り取って振り出し口を作るか、振り出し突起部を裏側に折り曲げた構造にする。
【発明の効果】
【０００６】本来出来なかった種蒔きや保存が容易にできる。
本発明は多少の水や肥料散布にも使用できる。
【図面の簡単な説明】
【０００７】
【図１】  本発明の斜視図
【図２】  本発明の使用状態を示す斜視図
【発明を実施するための形態】
【０００８】以下、本発明の実施の形態を説明する。
（イ）  種袋（１）の下部の一隅に三角形状の突起部（２）を設ける。
（ロ）  突起部（２）の先端部分にミシン目（４）を入れる。
（ハ）  種袋（１）の裏側と突起部（２）の裏側にマジックテープ（５）を設ける。
（ニ）  種袋（１）の底部と突起部（２）上部の接続部分に折れ線（６）を設ける。
本発明は以上のような構造である。
本発明を使用するときは、種袋（１）の裏側に折り畳んであった突起部（２）を引き伸ばし突起部先端のミシン目（４）より先端を切り落とし振り出し口を作る。
種袋（１）を斜めに傾けながら突起部に流れてくる種の状態を確認しながら種を散布する。使用後、種が残った場合突起部（２）の裏側を種袋（１）の裏側に折り曲げてマジックテープ（５）で止めて残った種を保存する。
【符号の説明】
【０００９】１  種袋、  ２  突起部、  ３  振り出し口、  ４  ミシン目、
５  マジックテープ、  ６  折れ線、  ７  種、
【図１】
2013223475.tif 000003
【図２】
2013223475.tif 000004
(57)【要約】【課題】おとりの尻ビレに取り付けた掛けバリが、抜け落ちて釣れない。野アユの、下部急所にハリが刺さりおとりに使えない。石掛かりによる、釣りバリの曲がりを解消術く、抜け止め掛けバリを提供する。【解決手段】掛けバリに挟み線（５）を取り付けて、ヒレを挟み弾力によりズレを安定させる。尻ビレ引掛け部（２）より長く突き出すことにより末端（１１）が作用し、ハリハリスは水平を保ち野アユの上部にハリ掛かりして底石を掬わないための、抜け止め掛けバリを特徴とする。【選択図】図１
2013223479.tif 000002
【特許請求の範囲】
【請求項１】
掛けバリに、挟み線（５）となる単線を併設部（１０）に設け、挟み線（５）を尻ビレ引掛け部（２）よりも突き出し（１１）長くして作用させた、抜け止め掛けバリ。
【発明の詳細な説明】
【技術分野】
【０００１】本発明は、アユ友釣り仕掛に用いる掛けバリに、単線を併設しおとりの尻ビレから掛けバリが抜けない構造を有し、その波及効果を得る、抜け止め掛けバリに関するものである。
【背景技術】
【０００２】従来のアユ友釣り仕掛には、ハナカンでおとりを繋ぎ、ハナカンと掛けバリを直結し、釣りバリにハリスを結んで掛けバリに挟みそれを尻ビレに取り付ける。掛けバリは全体の３分の１を半円状に折り返してハリ先を設け、その一方にハリス挟持部を設けている。特許分献では半円状を塞ぐように可動線を設けた形状もある。
【先行技術文献】
【０００３】
【特許文献】
【特許文献】特開平  ９−２６６７４２
【発明の概要】
【発明が解決しようとする課題】
【０００４】これは次のような欠点があった。
（イ）おとりの尻ビレに取りつけた掛けバリが、反転や逆圧水流などで抜けて、野アユが引っ掛からなかった。
（ロ）野アユの下部に、釣りバリが刺さり腹部の傷から運動機能の低下により、おとりとして使用できないことがあった。
（ハ）掛けバリの上下の振動により、底石の後方や弱流部分などで石を掬い易く、石掛かりやハリ先の曲がりがあった。
本発明は、以下のような欠点をなくすためになされた。
【課題を解決するための手段】
【０００５】掛けバリは、ハリ先（１）を有する尻ビレ引掛部（２）を直角から鋭角に曲げて挟み部（３）を設ける。線幅調整（６）し挟み線の併設部（１０）より先で、折り返し状に折り曲げ（７）ハリス挟持部（８）を設けて、末端（１１）を外側に曲げる。挟み線（５）は、併設部（１０）に取り付けて直線で尻ビレ引掛け部（２）と交叉し突き出して末端（１１とする。上記形状により、尻ビレは、本体線（４）と挟み線（５）の間に挟まれて挟み線の弾力により抜けない。尻ビレ引掛部（２）は上下に揺れても挟み線の突き出し部（１１）がヒレの付け根に納まり作用して、水平になり野アユの上部にハリ掛かりする。因って、石掛かりは減少する。
本体は、以上の構成よりなる抜け止め掛けバリである。
【発明の効果】
【０００６】（イ）掛けバリが、尻ビレから抜けないので接触のミスマッチが起こらない。
（ロ）野アユの上部にハリ掛かりして、元気で野アユと同じ行動誘因で反応がよい。
（ハ）石掛かりが減り、ハリの摩耗や曲がりによるバレが少ない
【図面の簡単な説明】
【０００７】
【図１】本発明の正面図である。
【図２】本発明の分解正面図である。
【図３】本発明の抜け止め掛けバリの底面図である。
【図４】従来例の仕掛の使用状態説明図である。
【発明を実施するための形態】
【０００８】以下本発明を実施するための最良の形態について説明する。
掛けバリは、ハリ先（１）を有する尻ビレ引掛け部（２）を直角から鋭角に曲げて挟み部（３）を設け、挟み線（５）との線幅調整（６）をする。挟み線（５）の併設部（１０）の先から折り返し状に折り曲げてハリス止（７）を設ける。ハリス挟持部（８）の強度を得る長さと張りで、外側に曲げて末端（９）とする。弾性を備える挟み線（５）は本体線の併設部（１０）のハリ先（１）側に２条線を重ね合わせ、結束用糸材を用いて密にコイル状に巻き回して、回転防止のために接着剤を塗布する。挟み線（５）は直線で、尻ビレ引掛け部（２）と交叉して突き出し末端（１１）とする。材質はナイロンフロロや防錆スプリングなど耐消耗材や復元材を吟味する。
本発明は、以上のような構造である。
これを使用するときは、尻ビレの付け根に、斜め下後方より抜け止め掛けバリの挟み線（５）をおとりの側面に当てて、ハリ先を引き開き刺し込み後、平行に直す。
【符号の説明】
【０００９】  １  ハリ先
２  尻ビレ引掛部
３  尻ビレ挟み部
４  掛けバリ本体線
５  挟み線
６  線幅調整
７  ハリス止
８  ハリス挟持部
９  本体線末端
１０  挟み線併設部
１１  挟み線末端
１２  釣りバリ
１３  ハリハリス
１４  従来形掛けバリ
１５  中ハリス
１６  ハナカン
【図１】
2013223479.tif 000003
【図２】
2013223479.tif 000004
【図３】
2013223479.tif 000005
【図４】
2013223479.tif 000006
(57)【要約】【課題】印字中にインクジェット装置に衝撃が加えられてもインキ漏れ不良の発生を軽減することのできるコンティニュアス型のインクジェット装置を提供する。【解決手段】本実施形態のインクジェット装置１は、連続的に供給されるインキを粒子状にするヘッド部１０と、粒子状のインキを帯電させる帯電部１１と、印字内容に応じて粒子状のインキの軌道を曲げる偏向電極部１２と、軌道が曲げられなかった粒子状のインキを回収するガター部１３を備え、インクジェット装置１には、本体カバー１５の全面を覆うように、発泡ウレタンや衝撃吸収ゲルなどの衝撃吸収材１６が設けられている。【選択図】図１
2013082163.tif 000002
【特許請求の範囲】
【請求項１】
本体カバーの全面を覆うように衝撃吸収材を設けたことを特徴とするコンティニュアス型のインクジェット装置。
【発明の詳細な説明】
【技術分野】
【０００１】
本発明は、コンティニュアス型のインクジェット装置を使用した際に発生するインキ漏れ不良を軽減させるための技術に関する。
【背景技術】
【０００２】
封筒の管理番号などのデータの印字にはコンティニュアス型のインクジェット装置が用いられているが、コンティニュアス型のインクジェット装置を利用すると、インクジェット装置に連続して供給されるインキが漏れるインキ漏れ不良が発生するため、印刷の現場ではインキ漏れ不良の対策を講じることが必要となっている。
【０００３】
図２は、コンティニュアス型のインクジェット装置の一般的な構成を説明する図である。図２に図示したコンティニュアス型のインクジェット装置２は、連続的に供給されるインキを粒子状にするヘッド部２０と、粒子状のインキを帯電させる帯電部２１と、印字内容に応じて粒子状のインキの軌道を曲げる偏向電極部２２と、軌道が曲げられなかった粒子状のインキを回収するガター部２３と、ヘッド部２０に電源を供給する電源部２４を有し、全体を本体カバー２５で覆われている。
【０００４】
インキ漏れ防止対策としては、特許文献１の［００４３］段落に記載があるように、インキ漏れを防止するためにO―リングを接続部に取り付けていることが一般的であるが、印字中にインクジェット装置２に衝撃が加わり、インキの噴き出し位置がずれることでインキ漏れ不良が発生してしまうケースも少なくない。
【０００５】
コンティニュアス型のインクジェット装置２を使用する場合、印刷品目毎にインキの噴出し位置を調整することが必要になり、図２で図示したインクジェット装置２のヘッド部２０には、インキの噴出し位置を調整する機構が備えられているが、衝撃によって該機構のネジが緩みインキの噴き出し位置がずれると、ガター部２３で回収されなかった粒子状のインキが印字対象物上に垂れてインキ漏れ不良が発生してしまう。
【先行技術文献】
【特許文献】
【０００６】
【特許文献１】特開２００６−４４０１５号公報
【発明の概要】
【発明が解決しようとする課題】
【０００７】
そこで、本発明は、印字中にインクジェット装置に衝撃が加えられてもインキ漏れ不良の発生を軽減することのできるコンティニュアス型のインクジェット装置を提供することを目的とする。
【課題を解決するための手段】
【０００８】
上述した課題を解決する本発明は、インクジェット装置に加えられた衝撃を吸収できるように、本体カバーの全面を覆うように衝撃吸収材を設けたことを特徴とするコンティニュアス型のインクジェット装置である。
【発明の効果】
【０００９】
インクジェット装置に加えられた衝撃は衝撃吸収材にて吸収されるため、該衝撃によりインキの噴出し位置がずれることを軽減でき、結果としてインキ漏れ不良を軽減できる。
【図面の簡単な説明】
【００１０】
【図１】本実施形態のインクジェット装置の構成を説明する図。
【図２】コンティニュアス型のインクジェット装置の一般的な構成を説明する図。
【発明を実施するための形態】
【００１１】
ここから、本発明にかかるインクジェット装置の好適な実施形態について、図面を参照しながら詳細に説明する。なお、これから説明する実施形態は本発明の一実施形態にしか過ぎず、本発明は，これから説明する実施形態に限定されることなく、種々の変形や変更が可能である。
【００１２】
図１は、本実施形態のインクジェット装置１の構成を説明する図である。図１に図示したインクジェット装置１はコンティニュアス型の装置で、図２を用いて説明した装置と同様に、本実施形態のインクジェット装置１は、連続的に供給されるインキを粒子状にするヘッド部１０と、粒子状のインキを帯電させる帯電部１１と、印字内容に応じて粒子状のインキの軌道を曲げる偏向電極部１２と、軌道が曲げられなかった粒子状のインキを回収するガター部１３と、ヘッド部１０に電源を供給する電源部１４から少なくとも構成される。
【００１３】
インクジェット装置１は、印字対象物（例えば、封筒）が搬送されるコンベア上に設置されることが一般的で、機械の微振動等による衝撃がインクジェット装置１に加わり、インキの噴出し位置を調整する機構のネジが緩むことでインキの噴き出し位置がずれると、インキ漏れ不良が発生するため、本実施形態のインクジェット装置１には、本体カバー１５の全面を覆うように、発泡ウレタンや衝撃吸収ゲルなどの衝撃吸収材１６が設けられている。
【００１４】
インクジェット装置１の本体カバー１５の全面を衝撃吸収材１６により覆うことで、印字中にインクジェット装置１に衝撃が加わっても該衝撃は衝撃吸収材１６にて吸収されるため、インキの噴出し位置を調整する機構のネジが緩むなどしてインキの噴き出し位置がずれることを軽減でき、結果としてインキ漏れ不良を軽減できる。
【００１５】
本実施形態のインクジェット装置１のように構成した装置を３ヶ月間使用した結果であるが、従来のインクジェット装置ではインキ漏れ不良の発生頻度が２、３回/月であったが、本実施形態のインクジェット装置１のように構成した装置ではインキ漏れ不良の発生頻度を０．６回/月に軽減することができた。
【符号の説明】
【００１６】
１    インクジェット装置
１０  ヘッド部
１１  帯電部
１２  偏向電極部
１３  ガター部
１４  電源部
１５  本体カバー
１６  衝撃吸収材
【図１】
2013082163.tif 000003
【図２】
2013082163.tif 000004
(57)【要約】【課題】  電動ドリルに装着し、金属、樹脂、ガラス等をハンマーの回転による打刻で表面加工をおこなうことができる。本発明は回転体による表面加工をおこなうスティップリングハンマーを提供する。【解決手段】  芯軸（１）にハンマー止め（２）を設け、ハンマー止め（２）に複数のハンマー柄（３）を設け、ハンマー柄（３）に複数のハンマーを設けたスティップリングハンマー。【選択図】図１
2013082188.tif 000002
【特許請求の範囲】
【請求項１】
芯軸にハンマー止めを設け、ハンマー止めに複数のハンマー柄を設け、ハンマー柄に複数のハンマーを設け、電動ドリル装着し金属面に梨地加工をおこなうスティップリングハンマー。
【請求項２】
ハンマーに硝子、または、工業ダイヤを付着した請求項１のスティップリングハンマー。
【発明の詳細な説明】
【技術分野】
【０００１】  本発明は、電動ドリル等に装着した先端部が回転、回転部についた小さなハンマーが対象を梨地状の打刻面を形成するスティップリングハンマーに関するものである。
【背景技術】
【０００２】  従来、圧縮空気などで研磨剤を吹き付け錆びとり、金属、硝子、木材などの研磨や表面加工が行われていた。
圧縮空気など研磨剤の吹き付けサンドブラスターなど知られている。（特許文献１参照）
【先行技術文献】
【特許文献】
【０００３】
【特許文献１】  特開２００６−１９２５０７号広報
【発明の概要】
【発明が解決しようとする課題】
【０００４】  金属素材、アクリル板、ガラスでは表面の加工において、専用の機材では、高価、大型の機材を必要としていた。
個人の趣味に安価に、電動ドリルなどに装着することで、素材表面を金属の梨地状加工やアクリル板、ガラスのフロスト加工はなかった。
本発明は以上の問題点を解決するためになされたものである。
【課題を解決するための手段】
【０００５】  回転軸に複数のワイヤー等などで線形状を複数設け、線形状に約２ｍｍ〜約３ｍｍの複数の金属粒を設ける。
以上の構成によるスティップリングハンマーである。
【発明の効果】
【０００６】  従来のサンドブラスターでの加工は専門業者への依頼か、高価、大型、維持において個人での設置は負担が大きく導入は難しい。
電動工具などの回転ブラシに装着した、複数の極小ハンマー対象をたたく加工素材が金属のとき、大きさで打刻面の形状は変化し、アクリル板、ガラスでは金属粒に工業ダイヤ付着する。
または、加工素材にクリーム状の研磨剤を塗布された上からたたくことでフロスト加工が行える。
本発明は手軽に金属、ガラス、アクリル板の表面加工ができる発明で有る。
【図面の簡単な説明】
【０００７】
【図１】  本発明の斜視図である。
【発明を実施するための形態】
【０００８】  芯軸（１）に（２）ハンマー止めを設け、ハンマー止め（２）に線状のハンマー柄（３）を複数設け、ハンマー柄に複数のハンマー（４）を設ける。
本発明は以上の様な構造である。
本発明を使用するときは、電動ドリルなどに装着し、回転する適度な復元力の有る線形状のハンマー柄（３）は、素材をたたいた後跳ねることで、素材を引っ掻くことなく点状の打刻面を形成する。
極小のハンマー（４）の大きさ、表面素材により素材に与える形状は変化し、金属粒では梨地の表面加工され、金属粒についた研磨剤などではより微細な凹凸が硝子などのフロスト加工を可能にする。
【符号の説明】
【０００９】  １  芯軸    ２  ハンマー止    ３  ハンマー柄    ４  ハンマー
【図１】
2013082188.tif 000003